(57)【特許請求の範囲】
【請求項１】
バッグ６に繰り返し荷重を加えることにより、バッグ６の強度を検査することができるバッグの強度テスト装置であって、
先端部に上記バッグ６を吊下しうるアーム５を有し、上記バッグ６を保持して上昇し且つ落下可能なバッグホルダ１と、
そのバッグホルダ１を繰り返し持ち上げ可能なリフト機構２２と、
所定高さでリフト機構２２からバッグホルダ１を自由に落下可能とするバッグホルダ解放部材１８と、
上記バッグホルダ１が落下した場合に、上記バッグホルダ１と衝突することにより上記バッグホルダ１の落下を停止させると共に、上記バッグ６が衝突しないように配設された衝突受け２０とを具えたことを特徴とするバッグの強度テスト装置。
【発明の詳細な説明】
【０００１】
【発明の属する技術分野】
本発明はバッグの強度テスト装置に関する。
【０００２】
【従来の技術】
バッグは、バッグ本体に対し持ち手や底などを縫製により接合して製造することが多く、その縫製箇所に欠陥があると荷重により持ち手が外れたり底が抜ける等の破損が生じてしまう。また、バッグの生地も荷重に耐えられず破損してしまうことがある。したがって、バッグを商品として出荷する場合は、バッグの強度テストを実施する必要があるが、従来、適当なテスト装置が存在しないという不満があつた。
【０００３】
【発明が解決しようとする課題】
そこで本発明は、バッグが所要な荷重で破損するか否かを簡単に定量的に試験できるバッグ強度テスト装置の提供を課題とする。
【０００４】
【課題を解決するための手段】
上記の課題を解決するために、本発明のバッグの強度テスト装置は、バッグ６を保持して上昇し且つ落下可能なバッグホルダ１と、そのバッグホルダ１を繰り返し持ち上げ可能なリフト機構２２と、所要高さでリフト機構２２からバッグホルダ１を自由にして落下可能とするバッグホルダ解放部材１８と、落下したバッグホルダ１が衝突する衝突受け２０とを具えたことを特徴とする構成を具えるものである。
【０００５】
【発明の実施の形態】
以下、図を用いて本発明の実施の形態について説明する。まずバッグホルダ１は、図に示すように、後方へ突出する基板２と、その基板２に縦向きに取付けたスライドパイプ３と、基板２から前方へ水平に突設したアーム５と、そのアーム５の先端に取付けたフック８と、基板２の上で前後方向へ水平に摺動するスライド板１０と、そのスライド板１０を後方へ付勢するスプリング９とによって構成することができる。
【０００６】
上記のバッグホルダ１におけるスライドパイプ３には上下方向のガイド軸４を挿通して、スライドパイプ３をそのガイド軸４により案内して上下方向へ移動自在とすることができる。
【０００７】
また、上記のバッグホルダ１におけるフック８には、オモリ２１を入れたバッグ６の持ち手７を引っ掛けるが、落下の衝撃で持ち手７が外れないよう固定できるようにする。その固定手段は任意であるが、例えば、フック８に外れ防止用のストッパなどを設けることが可能である。
【０００８】
次に、リフト機構２２は、図に示すように、上下一対のスプロケット１１，１２と、それらに巻き掛けしたチェーン１３と、そのチェーン１３に取付けた掛止片１５とによって構成することができる。また、下に位置するスプロケット１２はモータ１４によって回転させることができる。これらのリフト機構２２は上記のガイド軸４の横に配置することができる。
【０００９】
リフト機構２２におけるチェーン１３は上昇して下降する運動を連続的に繰り返すことができ、チェーン１３が上昇する際に上記のバッグホルダ１におけるスライド板１０の後端部を掛止片１５の上に載せるようにすることができる。したがって、チェーン１３の上昇とともにバッグホルダ１も上昇させることができる。
【００１０】
次に、バッグホルダ解放部材１８は、図に示すように、上記バッグホルダ１におけるスライド板１０の前端部に上下方向へ開通する孔１６を設けて、その孔１６に上下方向のバー１７を挿通させて、そのバー１７に取付けることができる。このバッグホルダ解放部材１８はバー１７の任意の高さに固定可能とすることが好ましい。このバッグホルダ解放部材１８は、バッグホルダ１が上昇したときに、そのスライド板１０の孔１６の縁に当たる斜面１９を設けた構成にすることができる。
【００１１】
次に、衝突受け２０はバッグホルダ１の下方位置に配置するものとする。この衝突受け２０には、多少の緩衝能力を持たせることが可能である。
【００１２】
次に、操作を説明する。まず、図１に示すように、バッグホルダ１が下降している状態で、バッグ６に所要のオモリ２１を入れて、その持ち手７をバッグホルダ１におけるフック８に引掛けて固定した状態にする。また、バッグホルダ１におけるスライド板１０をスプリング９により後退させて、その後端部を上記チェーン１３に取付けた掛止片１５の上に載せた状態とする。
【００１３】
そして、モータ１４を回転させてリフト機構２２のチェーン１３も回転させ、そのチェーン１３に取付けた掛止片１５によってバッグホルダ１を持ち上げる。
【００１４】
バッグホルダ１を所要の高さまで上昇させると、図３に示すように、バッグホルダ解放部材１８の斜面１９に、バッグホルダ１におけるスライド板１０の孔１６の縁が当たり、その斜面１９を孔１６の縁が滑ることによりスライド板１０は前方へ移動する。
【００１５】
これにより、図４に示すように、スライド板１０の後端部が掛止片１５から外れて、バッグホルダ１は自重により落下する。
【００１６】
落下したバッグホルダ１は衝突受け２０に衝突する。このとき、バッグ６も衝撃を受けるが、バッグ６の位置を衝突位置からアーム５の長さだけ横方向へずらすことにより、オモリ２１の数倍の荷重をバッグ６にかけることができる。なお、この荷重はオモリ２１の重量や、バッグホルダ解放部材１８の高さを変えることによつて調整することが可能である。
【００１７】
このようにオモリ２１を入れたバッグ６を所要の高さまで持ち上げてから落下させる工程を所要回数実施して、バッグ６に繰り返し荷重を加えることにより、バッグ６が破損するか否かを調べればバッグ６の強度を知ることができる。すなわち、この装置にはバッグが破損するまで何回落下させたかを数えることができるカウンタを具えることが好ましい。また、バッグが破損したときに自動的に中断する停止機構を設けることが好ましい。また、その停止機構は、落下回数が基準回数（合格と認められる回数、例えば１００回等に設定する）に達したときにも自動的にストップできる機構にすることが好ましい。
【００１８】
【発明の効果】
本発明のバッグの強度テスト装置は上記の通りであり、オモリを入れたバッグを持ち上げて落下させることによりバッグに繰り返し衝撃を与えて、バッグがその衝撃に耐え得るか否かを簡単に定量的にテストできるという効果がある。
【図面の簡単な説明】
【図１】バッグホルダを持ち上げる前の状態を示す側面図である。
【図２】図１と同一状態における正面図である。
【図３】バッグホルダを所要高さまで持ち上げた状態を示す側面図である。
【図４】バッグホルダをリフト機構から外して落下させる状態を示す側面図である。
【符号の説明】
１  バッグホルダ
２  基板
３  スライドパイプ
４  ガイド軸
５  アーム
６  バッグ
７  持ち手
８  フック
９  スプリング
１０  スライド板
１１  スプロケット
１２  スプロケット
１３  チェーン
１４  モータ
１５  掛止片
１６  孔
１７  バー
１８  バッグホルダ解放部材
１９  斜面
２０  衝突受け
２１  オモリ
２２  リフト機構
【図１】
0003815956.tif 000002
【図２】
0003815956.tif 000003
【図３】
0003815956.tif 000004
【図４】
0003815956.tif 000005